(57)【要約】      （修正有）【課題】つる性の苗を作業者が立ったままで植え付け可能にした苗植付け具を提供する。【解決手段】パイプ１の先端には苗茎を差し込み保持するフォーク２を付設し、パイプの周面には軸方向に所定の長さ間隔を置くとともに、周方向に所定の角度間隔置いて三角形板からなる２個の苗茎掛止片Ａ，Ｂをフォ−クに向かって末広がりに張り出して設け、苗の基端部をフォークに挟み、茎をパイプの苗茎掛止片に掛け回してパイプに保持させ、フォークを土中に突き刺し、苗の基端部を土中に残してパイプだけを引き抜くようにして苗植付け具を構成する。【選択図】図１
0003149732.tif 000002
【実用新案登録請求の範囲】
【請求項１】
一端に苗茎差込保持部を設けた長尺体の外側面に、苗茎差込保持部より長尺体の長さ方向に所定の距離をおいて第１の苗茎掛止片を付設すると共に、この第１の苗茎掛止片より長尺体の長さ方向にさらに所定の距離をおいて、かつ、長尺体の周面を回る方向に第１の苗茎掛止片より所定の角度間隔をおいて、第２の苗茎掛止片を付設した苗植付け具。
【請求項２】
長尺体が、作業者が立居で扱うのに便利な長さと、手で握れる太さを有するパイプのバーであり、苗茎差込保持部がバーの一端に付設したフォークであり、第１および第２の苗茎掛止片が、それぞれ直角三角形状板であり、第１の苗茎掛止片および第２の苗茎掛止片をバーに軸方向に間隔を置いて、かつ、バーの周面を回る異なる角度位置に設置し、直角三角形状板を、それぞれの直角を挟む２辺のうちの一辺をバーのフォーク取付け端側に置いて三角形状板がフォークに向けて末広がりになるように、他辺においてバーの側面に取り付け、第２の苗茎掛止片の前記一辺と斜辺が会合する突出端部を折り曲げて苗茎引っ掛かり部を設け、バーの他端にT字状ハンドルと吊り手を付設した請求項１の苗植付け具。
【考案の詳細な説明】
【技術分野】
【０００１】
本考案は野菜苗、特につる性のものを、作業者が立ったままの姿勢で畑に植え付けることが出来るようにした苗植付け具に関するものである。
【背景技術】
【０００２】
農作物の苗を田畑に植付ける場合、大規模栽培では自動植付機が使用されているが、小規模栽培では、機械化はコストと効率の面で適当ではなく、作業者による手作業が行われている。即ち、作業者がしゃがんだ姿勢で、移植コテや棒で、地面に穴を開け、苗をその穴に差し込んで、周りの土を手で押さえる３工程を手で行い、横歩きして、次の植え付け位置まで移動している。
【０００３】
田植機による稲苗の植え付けの脱落箇所に稲苗を補植するために、作業者の立居作業を可能にした手動器具として、ステッキの先端に二股爪を突設したものが知られている。この器具の二股爪を稲の苗床の一つの苗株に差し込んで分離し、この稲株を保持した二股爪を稲苗の脱落箇所に差し込んで補植を行う。この作業は、作業者がステッキを手に持って立ったままの姿勢で行うことが出来る。
【先行技術文献】
【特許文献】
【０００４】
【特許文献１】実用新案登録第３００７７１２号
【考案の概要】
【考案が解決しようとする課題】
【０００５】
しかしながら、上記公知の器具は、つる性の苗の根本の一箇所を二股爪で保持しても、つる性の苗は比較的丈が高いので、茎をステッキに保持することが出来ず、茎をステッキと一緒に手で持たないと茎が垂れ下がるので、植え付けを効率よく行うことが出来ないという課題がある。
【課題を解決するための手段】
【０００６】
本考案は、上記課題を解決するために、比較的小規模の農作物栽培に於いて、つる性の苗を、作業者が立ったままの姿勢で植え付けることが出来る苗植付け具であって、一端に苗茎差込保持部を設けた長尺体の外側面に、苗茎差込保持部より長尺体の長さ方向に所定の距離をおいて第１の苗茎掛止片を付設すると共に、この第１の苗茎掛止片より長尺体の長さ方向にさらに所定の距離をおいて、かつ、長尺体の周面を回る方向に第１の苗茎掛止片より所定の角度間隔をおいて、第２の苗茎掛止片を付設したものである。
【０００７】
好ましくは、長尺体は農作業者が立ったままの姿勢での取り扱いに便利な長さと、手で握れる太さを有する木、金属、プラスチックなどの横断面多角形または円形の棒または中空筒のガイドバー（以下バーと言う）からなり、先端の苗茎差込保持部は二股のフォークからなり、第１及び第２の苗茎掛止片（以下掛止片という）は三角形、例えば、直角三角形の平板からなり、そのそれぞれ直角を挟む長辺をバーの長さ方向に沿わせ、かつ、直角を挟む短辺をフォ−クに近い側に配置するとともにバーの軸に対し直角方向に延長させて各直角三角形板をフォークに向かって末広がりに張出し配置し、第１の掛止片をフォークと同一平面において、また、第２の掛止片をバーを回る方向に第１の掛止片から適当な角度間隔、例えば、９０度回転させた位置で、上記長辺をバーの外面に接合させ、バーに張出し固定付設する。バーの他端にはＴ字状にハンドルおよび吊り手の紐輪を付設することも出来る。
【０００８】
以上の構成に於いて、植え付けるべきつる性の苗の基部より若干（数センチ）上の茎部分をフォークに挟み込み、バーを回転させながら苗茎の基部上方部分をその弾力性によって撓ませつつバーに巻き付け、フォークに近いバーの第１（下方）の掛止片に引っ掛けると、苗はその反発力のため掛止片によって保持され外れることがない。そして、バーをさらに回転させて、苗の上方部を第２（上方）の掛止片に引っ掛ける。第２の掛止片の突出端部を折り曲げて引っ掛かり部を形成することにより、苗茎の掛止保持をさらに確実にできる。このように第１と第２の掛止片に引っ掛けられた苗はその反発力によって掛止片を介してバーに保持される。そこで、作業者は保持された苗とともにバーを片手で持って立ち居のままで、フォークを土中に差し込み、差し込まれた茎の基部を土中に残してバーを引き抜く。
【考案の効果】
【０００９】
この考案によれば、苗茎は基端をフォークで挟持されバーに巻き付けられ、その弾力性による巻き戻しを下上の掛止片によって阻止され、フォークと上下の掛止片による3点支持により確実にバーに保持される。従って、バーを片手で操作しても、他方の手で苗をバーに沿わせる必要はなく、立ったままの姿勢で作業を行い、腰の屈伸の必要がなく、疲れることなく迅速に植え付け作業を行うことができる。フォークに挟持された苗茎の先端部は、フォークを土中に差し込むときに折れ曲がり脱落することなく土中に差し込まれ、植え付け後にバーを土から引き抜くときは、折れ曲がった茎が「モドリ」として働き土の抵抗により土中に留まりフォークは苗茎から容易に離れるとともに、上下の掛止片はフォークに向かって末広がりになっているので苗茎の上部は掛止片の傾斜辺を滑って抵抗なくバーだけを引き抜くことができる。苗をショルダータイプのかごなどで持ち運ぶと、立ったまま一人で植え付け作業を楽に行うことができる。
【図面の簡単な説明】
【００１０】
【図１】（イ）は本考案の一実施例にかかる苗植付け具の斜視図、（ロ）は、（イ）図のＩ−Ｉ拡大断面図である。
【図２】本考案の苗植付け具による植付け作業工程の説明図である。
【図３】本考案の苗植付け具に苗茎を保持させた状態の斜視図である。
【考案を実施するための形態】
【００１１】
以下本考案の実施の形態について詳細に説明する。
【実施例１】
【００１２】
図において、１は長尺体（バー）で、好ましくは、作業者が立ったままで扱うのに適した長さと握り易い太さの肉薄のパイプからなる。パイプの材質および横断面形状は問わない。２は、バー１の一端（先端）に設けた二股フォークで、バーのパイプの先端部を板状にプレスするか、または、別体の板を付設し、先端の解放されたU字状溝３を形成する。溝３の幅は苗の茎が抜き差しできる幅とし、その長さ（深さ）は、苗茎の径の２〜３倍が望ましい。
【００１３】
A、Bはそれぞれ第１（下方）と第２（上方）の（苗茎）掛止片で、図示例では直角三角形状の板で、直角を挟む2辺のうち長辺ａ１、ｂ１をバー１の軸方向に沿わせ、従って短辺ａ２、ｂ２をバー１の軸に垂直方向に向け、かつ、それぞれの短辺ａ２、ｂ２をフォーク２側に配置し、従って、斜辺ａ３、ｂ３がフォーク２側に向かってバー１の軸から離れ、従って、三角形板がフォーク２に向かって末広がりになるようにして、それぞれの長辺ａ１、ｂ１においてバー１の周面に固定する。そして、掛止片Aはフォーク2からその短辺ａ２が所定の適当な（数センチの）距離をおいて、かつ、フォーク2と同一平面に配置される。掛止片Bはその短辺ｂ２がフォーク２より苗茎の平均的全長の半分程度の位置に来るように掛止片Aの上端から離れて、かつ、掛止片Aの平面からバー１の軸芯の周りに所定の角度、好ましくは90度回転させた位置に、配置される。掛止片Bはその突出角部をその平面に対して所定の角度、好ましくは、６０〜９０度程度上記回転方向に折り曲げて引っ掛かり部Ｃを設けると苗茎の掛止片Bよりの脱落をより効果的に阻止できる。
【００１４】
4はバーの他端（上端）にT字状に付設したハンドル、５はハンドルに付加して設けた吊り手の紐輪である。
【００１５】
図２図３を参照し、甘藷の苗を想定して、本案の器具による植え付け作業工程1から４を説明する。
工程１．作業者が片手でバー１またはハンドル４を持ち、吊り手5を手首に掛け、他方の手に苗Pを持ち、フォーク２の溝３に苗茎の先端より2〜3センチ上を差し込む。
工程２．ハンドル４によってバー１を回転させると、差し込まれた苗茎の部分はフォーク２の溝３の両縁でロックされる。次に掛止片Aに苗茎を回し掛けすると、苗茎はその弾性力によってフォーク２と掛止片Aの間で掛け止められる。
工程３．さらに茎をバー１に巻き付けるようにバー１を９０度回転させて掛止片Bに掛けると、茎はその弾性力によって掛止片Aと掛止片Bの間で掛け止められる。このとき苗Ｐはバー１に１８０度巻き付けられた状態で、フォーク２、掛止片A、掛止片Bの３点で支えられ、掛止片Bの引っ掛かり部Ｃの作用と相まってバー1に確実に保持される。
工程４．耕転、畝立てされた圃場に、苗Ｐを巻き付けたバー１をフォーク２から所定の深さまで差し込む。マルチ栽培の場合は、マルチの上から差し込む。それから苗Ｐを残してバー１を引き抜く。
【００１６】
工程４において、フォーク２を土中に差し込むとき、苗の先端部は土壌によりフォーク２で折れ曲り土中に進入するため、挿入時はフォーク２からの脱落を防ぎ、バー１を引き抜くときは、折れ曲がった部分が「モドリ」の働きをして、土壌の抵抗により苗の先端部は土中に留まる。そして、苗茎の上部が掛止片A、Bに触れても、三角形の末広がりの形状であるため、その斜辺で苗茎が滑るために接触抵抗が少なく、苗をバーとともに引き抜くことがない。また、折れ曲がった部分が多少損傷を受けても、甘藷のような蔓性苗の場合、土中の各節から発根するため、苗の生育に全く影響しない。
【産業上の利用可能性】
【００１７】
本考案は、農作物の苗、特につる性苗の人手による植え付け作業に、立ち居の姿勢で、作業者の腰に負担をかけることなく、効率的に利用でき、特に小規模栽培において、有用である。
【符号の説明】
【００１８】
１・・・長尺体（バー）
２・・・苗茎差込保持部（フォーク）
３・・・Ｕ字溝
４・・・ハンドル
５・・・吊り手（紐輪）
A・・・第１（下方）の苗茎掛止片
B・・・第２（上方）の苗茎掛止片
Ｃ・・・引っ掛かり部
P・・・苗
ａ１、ｂ１・・・長辺
ａ２、ｂ２・・・短辺
ａ３、ｂ３・・・斜辺
【図１】
0003149732.tif 000003
【図２】
0003149732.tif 000004
【図３】
0003149732.tif 000005